(57)【要約】【課題】軽量かつ安価なスピニングリールを提供する。また、スプールが振り動かずに前後方向の直線的な往復動を確保する。【解決手段】リール本体１００と、リール本体１００に回転自在に軸支されているハンドル２００と、伝動機構８を介してハンドル２００の回転に連動して前後に往復動するスプール３００と、伝動機構８を介してハンドル２００の回転に連動し、前後方向を軸線とする回転をしてスプール３００の周りに釣り糸を巻付けたり繰出したりするロータ４００とを備えているスピニングリールにおいて、リール本体１００は、その全体が略前後方向に沿って直立する扁平体になった金属材製のフレーム部材５と、フレーム部材５の左右両側からフレーム部材５を挟んで互いに連通している左右一対の室を形成した左右一対のプラスチック材製の蓋部材６，７とからなっている。【選択図】図２
2006067838.tif 000002
【特許請求の範囲】
【請求項１】
リール本体と、前記リール本体に回転自在に軸支されているハンドルと、伝動機構を介して前記ハンドルの回転に連動して前後に往復動するスプールと、前記伝動機構を介して前記ハンドルの回転に連動し、前記前後方向を軸線とする回転をして前記スプールの周りに釣り糸を巻付けたり繰出したりするロータとを備えているスピニングリールにおいて、
前記リール本体は、
その全体が略前後方向に沿って直立する扁平体になった金属材製のフレーム部材と、前記フレーム部材の左右両側から該フレーム部材を挟んで互いに連通している左右一対の室を形成した左右一対のプラスチック材製の蓋部材とからなっていることを特徴とするスピニングリール。
【請求項２】
前記フレーム部材には、前後方向に延伸している案内レールが形成されており、
前記伝動機構は、
前記案内レールに前記ハンドルの回転に連動して前後摺動することができるように配設されているスライダ部材と、
前記ロータを前後方向に貫通し、かつ、その前端が前記スプールに連結され、後端が前記スライダ部材に連結されていて、前記スライダ部材に連動して前後方向に移動することができるスプール軸と
を備えていることを特徴とする請求項１に記載のスピニングリール。
【請求項３】
前記伝動機構は、前記ハンドルと前記スライダ部材との間に設けられているギアユニットを更に備え、
前記ギアユニットは、
左右両面を有し、前記ハンドルの回転に連動して前後方向の回転をするように設けられ、かつ、その１面の偏心箇所に第１の係合部が設けられているギア部材と、
左右両面を有し、前記ギア部材の前記１面に摺動可能に配設されており、且つ、その１面に前記第１の係合部に係合されて径方向の限定範囲内で方位変動的摺動が可能に規制されている第２の係合部が設けられるとともに、他面に前記第２の係合部と対応している第３の係合部が設けられている摺動回転部材とからなっており、
また、前記スライダ部材には、第４の係合部が設けられ、前記第３の係合部と互いに斜めに摺動できるように係合しており、
前記ギア部材の円形回転運動が前記第１の係合部と前記第２の係合部との係合により楕円形回転運動に変換され、前記第３の係合部と前記第４の係合部との係合により前記スライダ部材の前記案内レールに沿う直線的摺動に変換されて、前記スプールを前後方向に往復動させることができることを特徴とする請求項２に記載のスピニングリール。
【請求項４】
前記第１の係合部は、前記ギア部材の前記径方向に延伸している長形通孔であり、前記第２及び第３の係合部は、前記摺動回転部材の左右両面からそれぞれ突出してなった突柱であり、前記第４の係合部は、斜めになった長形凹溝であることを特徴とする請求項３に記載のスピニングリール。
【請求項５】
前記ハンドルは、その軸芯が前記左右一対の蓋部材のいずれかの一つを外から内へと貫通して回転自在に軸支されており、
また、前記蓋部材の内壁面に、楕円形の凹溝が形成され、前記ギア部材は、前記凹溝の略中心箇所に軸支され、前記摺動回転部材の第２の係合部としての突柱は、前記第１の係合部としての長形通孔を貫通して前記楕円形の凹溝内に配置していることを特徴とする請求項４に記載のスピニングリール。
【請求項６】
前記摺動回転部材は円盤状であり、前記第２及び第３の係合部としての突柱はそれぞれ円柱であり、
また、前記ギア部材と前記摺動回転部材とは対面し、互いに前記第２の係合部としての突柱が、前記第１の係合部としての長形通孔に沿う方向に摺動することができるように係合していることを特徴とする請求項５に記載のスピニングリール。
【請求項７】
前記左右一対の蓋部材は、前記フレーム部材を貫通するねじにより互いにねじ止めされていることを特徴とする請求項１乃至請求項６のいずれかの１項に記載のスピニングリール。
【発明の詳細な説明】
【技術分野】
【０００１】
本発明は、スピニングリールに関し、特に魚釣り用のスピニングリールに関する。
【背景技術】
【０００２】
従来の魚釣り用スピニングリールは、図１に示すように、主としてリール本体１と、前記リール本体１に回転自在に軸支されているハンドル２と、前記リール本体１内に収容されている伝動機構（図示せず）を介して前記ハンドル２の回転に連動して前後に往復動するスプール３と、前記伝動機構を介して前記ハンドル２の回転に連動し、前記前後方向を軸線とする左右方向の回転をして前記スプール３の周りに釣り糸を巻付けたり繰出したりするロータ４とを備えている。
【０００３】
図示のこの従来例のスピニングリールは、それにおける前記リール本体１が、側面が開口した中空の金属材製のリールボディ１１と、ねじ１３により前記開口を覆うように前記リールボディ１１の側部に脱着可能にねじ止めされているプラスチック材製の蓋部材１２とからなっている。そのため、通常、前記蓋部材１２がプラスチック材からなるのではなく、全体が金属材製であるものに比べて、重さがより軽くてコストが安くなるという利点を有する。しかし、実際には、前記蓋部材１２の体積の前記リール本体１全体に対する割合が少ないので、低減される重さが限られ、前記利点は僅少である。
【０００４】
そして、前記スプール３の往復動は通常前記伝動機構において、前記ハンドル２に連動して回転するギア部材と前記スプール３のスプール軸の後端部に固定されているスライダ部材との間の移動可能な係合だけにより、前記ギア部材の円形回転運動を前記スプール３の直線運動に変えることで行われる。そのため、前記スプール３の一直線上の往復動はスプール３の前端部にしかなく、他の部分が前記スプール軸及び前記スライダ部材と共に前記ギア部材の円形回転運動につれて上下起伏し、ゆさゆさと振り動くことが避けられない欠点がある。
【発明の開示】
【発明が解決しようとする課題】
【０００５】
上記に鑑みて、本発明の第１の目的は、軽量かつ安価なスピニングリールを提供しようとすることにある。
そして、本発明の第２の目的は、スプールが振り動かずに前後方向の直線上に往復動することを確保できるスピニングリールを提供しようとすることにある。
【課題を解決するための手段】
【０００６】
前記目的を達成するために、本発明者は、リール本体と、前記リール本体に回転自在に軸支されているハンドルと、伝動機構を介して前記ハンドルの回転に連動して前後に往復動するスプールと、前記伝動機構を介して前記ハンドルの回転に連動し、前記前後方向を軸線とする回転をして前記スプールの周りに釣り糸を巻付けたり繰出したりするロータとを備えているスピニングリールにおいて、前記リール本体は、その全体が略前後方向に沿って直立する扁平体になった金属材製のフレーム部材と、前記フレーム部材の左右両側から該フレーム部材を挟んで互いに連通している左右一対の室を形成した左右一対のプラスチック材製の蓋部材とからなっていることを特徴とするスピニングリールを提供する。
【０００７】
この構成によるスピニングリールは、前記リール本体の構造強度を所定以上に維持するための部分を扁平体になった金属材製のフレーム部材だけとし、他の部分をプラスチック材製のものとして左右の蓋部材としたので、重さが大幅に低減され、軽量化されている。
【０００８】
そして、前記フレーム部材には、前後方向に延伸している案内レールが形成されており、前記伝動機構は、前記案内レールに前記ハンドルの回転に連動して前後摺動することができるように配設されているスライダ部材と、前記ロータを前後方向に貫通し、かつ、その前端が前記スプールに連結され、後端が前記スライダ部材に連結されていて、前記スライダ部材に連動して前後方向に移動することができるスプール軸とを備えていることが好ましい。
【０００９】
また、前記伝動機構は、前記ハンドルと前記スライダ部材との間に設けられているギアユニットを更に備え、前記ギアユニットは、左右両面を有し、前記ハンドルの回転に連動して前後方向の回転をするように設けられ、かつ、その１面の偏心箇所に第１の係合部が設けられているギア部材と、左右両面を有し、前記ギア部材の前記１面に摺動可能に配設されており、且つ、その１面に前記第１の係合部に係合されて径方向の限定範囲内で方位変動的摺動が可能に規制されている第２の係合部が設けられるとともに、他面に前記第２の係合部と対応している第３の係合部が設けられている摺動回転部材とからなっており、また、前記スライダ部材には、第４の係合部が設けられ、前記第３の係合部と互いに斜めに摺動できるように係合していることが好ましい。
【００１０】
それにより、前記ギア部材の円形回転運動が前記第１の係合部と前記第２の係合部との係合により楕円形回転運動に変換され、前記第３の係合部と前記第４の係合部との係合により前記スライダ部材の前記案内レールに沿う直線的摺動に変換されて、前記スプールを前後方向に往復動させることができる。
【００１１】
すなわち、前記ギア部材の円形回転運動が楕円形回転運動に変換されてから、始めて前記スライダ部材及び前記スプールの直線運動に変換され、かつ、前記スライダ部材が前記案内レールにより前後方向に規制される。そのため、前記スプールの往復動が前後方向の直線上に行われることが確保でき、従来のスピニングリールにおけるスプールの上下起伏を避けることができる。
【発明の効果】
【００１２】
本発明のスピニングリールは、軽量で、コストが安い上、部材と部材との間の緊密な配置によりスプールが振り動かずに前後方向の直線上に往復動することを確保できる。
【発明を実施するための最良の形態】
【００１３】
以下、本発明のスピニングリールの好ましい実施形態を詳しく説明する。
【００１４】
本発明のスピニングリールの好ましい実施形態は、図２及び図３に示すように、リール本体１００と、前記リール本体１００に回転自在に軸支されているハンドル２００と、前記リール本体１００内に収容されている伝動機構８を介して前記ハンドル２００の回転に連動して前後に往復動するスプール３００と、前記伝動機構８を介して前記ハンドル２００の回転に連動し、前記前後方向を軸線とする左右方向の回転をして前記スプール３００の周りに釣り糸を巻付けたり繰出したりするロータ４００とを備えている。
【００１５】
前記リール本体１００は、図２に示すように、その全体が略前記前後方向に沿って直立する扁平体になった金属材製の竿取付脚部５０を有するフレーム部材５と、前記フレーム部材５の左右両側から前記フレーム部材５を挟んで互いに連通している左右一対の室を形成した左右一対のプラスチック材製の蓋部材６，７とからなっている。
【００１６】
本実施形態において前記左右一対の蓋部材６，７は、互いに対面するように前記フレーム部材５と嵌め合わせられてから、前記フレーム部材５を貫通するねじ９により互いにねじ止めされている。
【００１７】
また、前記フレーム部材５は軽量かつ高強度の金属材からなることが好ましく、例えばチタン、アルミニウム、マグネシウムまたはそれらの合金が挙げられる。
【００１８】
前記蓋部材６，７はそれぞれ軽量かつ高強度のエンジニアリングプラスチックからなることが好ましく、例えばＡＢＳ、ＰＥ、ＰＣまたはそれらの合成物が挙げられる。
【００１９】
図３から図５に示すように、前記ハンドル２００は、その軸芯が前記左右一対の蓋部材６，７中の蓋部材６を外から内へと貫通して回転自在に軸支されている。前記ハンドル２００の前記軸芯には、駆動ギア２０１が固定されている。
また、この蓋部材６の内壁面には、楕円形の凹溝６１が形成されている。
【００２０】
前記伝動機構８は、ギアユニット８０とスライダ部材８１とスプール軸８４とを備えている。前記ギアユニット８１は、ギア部材８２と摺動回転部材８３とからなっている。
【００２１】
前記ギア部材８２は、前記ハンドル２００の前記駆動ギア２０１と噛み合うように、前記蓋部材６の楕円形の凹溝６１の略中心箇所６２に軸支されている。それにより、前記ハンドル２００が回転されると、前記ギア部材８２が前記ハンドル２００の回転に連動して前後方向の回転をすることができる。
また、前記ギア部材８２は、左右両面を有し、その１面の偏心箇所に第１の係合部８２１が設けられている。本実施形態において、前記第１の係合部８２１は、前記ギア部材８２の径方向に延伸している長形通孔である。
【００２２】
前記摺動回転部材８３は、円盤状であり、左右両面を有し、前記ギア部材８２の前記１面に摺動可能に配設されており、その１面に前記長形通孔８２１（第１の係合部）に係合され、径方向の限定範囲内で方位変動的摺動が可能に規制されている円形の突柱８３１（第２の係合部）が設けられるとともに、他面に前記第２の係合部８３１と対応している円形の突柱８３２（第３の係合部）が設けられている。
【００２３】
すなわち、前記ギア部材８２と前記摺動回転部材８３とは対面し、互いに前記第２の係合部としての突柱８３１が、前記第１の係合部としての長形通孔８２１に沿う方向に摺動することができるように係合している。また、前記摺動回転部材８３の第２の係合部としての突柱８３１は、前記第１の係合部としての長形通孔８２１を貫通して前記楕円形の凹溝６１内に配置されている。
【００２４】
前記フレーム部材５には、前後方向に延伸している案内レール５１が形成されている。本実施形態において前記案内レール５１は、隙間を開けている上下一対の金属条５１１，５１１からなっている。
【００２５】
前記スライダ部材８１は、前記案内レール５１に前後摺動可能に配設されている。また、前記スライダ部材８１の前記摺動回転部材８３の前記他面と対面する面には、斜めに傾斜した長形凹溝８１１（第４の係合部）が形成されている。該長形凹溝８１１は、前記第３の係合部としての突柱８３２と互いに斜めに摺動できるように係合している。
【００２６】
前記スプール軸８４は、前記上下一対の金属条５１１，５１１の間に位置するように前記ロータ４００を前後方向に貫通し、かつ、その前端が前記スプール３００に連結され、後端が前記スライダ部材８１に連結されていて、前記スライダ部材８１に連動して前後方向に移動することができる。
【００２７】
それにより、前記ギア部材８２が前記ハンドル２００の回転に連動して回転されると、前記長形通孔８２１（第１の係合部）と前記突柱８３１（第２の係合部）との係合及び前記楕円形の凹溝６１の規制により、前記ギア部材８２の円形回転運動が摺動回転部材８３の楕円形回転運動に変換される。そして、前記突柱８３２（第３の係合部）と前記長形凹溝８１１（第４の係合部）との係合により、前記スライダ部材８１の前記案内レール５１に沿う直線的な摺動に変換され、スプール軸８４を介して前記スプール３００を前後方向に往復動させることができる。
【００２８】
なお、図６に示すように、前記伝動機構８は、第１の回転ギア８５と第２の回転ギア８６とを更に備えている。
【００２９】
前記第１の回転ギア８５は、前記蓋部材７の内壁面に回転可能に軸支され、かつ、その軸芯が前記ハンドル２００の前記駆動ギア２０１の軸芯と連結されている。それにより、前記ハンドル２００が回転されると、前記第１の回転ギア８５が前後方向に回転することができる。
【００３０】
前記第２の回転ギア８６は、前記第１の回転ギア８５と噛み合うように左右方向に回転可能に配置されている。前記ロータ４００は、前記第２の回転ギア８６と連結されているので、前記第２の回転ギア８６の回転に連動して回転することができる。
【００３１】
すなわち、前記ハンドル２００が回転されると、前記ロータ４００が回転すると共に前記スプール３００が前後に往復動することができる。
【００３２】
以上のように、本発明のスピニングリールは、前記リール本体１００の構造強度を所定以上に維持するための部分を扁平体になった金属材製のフレーム部材だけとし、他の部分をプラスチック材製のものとして左右の蓋部材６，７としたので、重さが大幅に低減され、軽量化されている。そして、前記ギア部材８２の円形回転運動が楕円形回転運動に変換されてから、始めて前記スライダ部材８１及び前記スプール３００の直線運動に変換され、かつ、前記スライダ部材８１が前記案内レール５１により前後方向に規制されるので、前記スプール３００の往復動が前後方向の直線上に行われることが確保できる。
【００３３】
なお、以上に説明した実施の形態は、あくまでも本発明の技術的内容を明らかにする意図のものにおいてなされたものであり、本発明はそうした具体例に限定して狭義に解釈されるものではなく、本発明の精神とクレームに述べられた範囲で、いろいろと変更して実施できるものである。
【図面の簡単な説明】
【００３４】
【図１】従来のスピニングリールを示す一部断面側面図
【図２】本発明のスピニングリールの好ましい実施形態を示す一部を断面とした平面図
【図３】前記実施形態の一対の蓋部材を取外した状態の正面図
【図４】前記実施形態の一部拡大正面図
【図５】前記実施形態の側断面図
【図６】前記実施形態の一部断面側面図
【符号の説明】
【００３５】
１００  リール本体
２００  ハンドル
２０１  駆動ギア
３００  スプール
４００  ロータ
５      フレーム部材
５０    竿取付脚部
５１    案内レール
５１１  金属条
６      蓋部材
６１    凹溝
６２    中心箇所
７      蓋部材
８      伝動機構
８０    ギアユニット
８１    スライダ部材
８１１  第４の係合部（長形凹溝）
８２    ギア部材
８２１  第１の係合部（長形通孔）
８３    摺動回転部材
８３１  第２の係合部（突柱）
８３２  第３の係合部（突柱）
８４    スプール軸
８５    第１の回転ギア
８６    第２の回転ギア
９      ねじ
【図１】
2006067838.tif 000003
【図２】
2006067838.tif 000004
【図３】
2006067838.tif 000005
【図４】
2006067838.tif 000006
【図５】
2006067838.tif 000007
【図６】
2006067838.tif 000008